(57)【特許請求の範囲】
【請求項１】
枠体と、遊技部品が搭載された開閉体と、前記枠体に前記開閉体を回動自在に支持する回動支持機構とを備えた遊技機において、
前記回動支持機構は、
前記枠体の一端下部に設けられた固定ヒンジ部と、
前記開閉体の一端下部において前記固定ヒンジ部と対向するように設けられ、支軸を介して前記固定ヒンジ部に回動自在に支持された可動ヒンジ部とを有し、
前記開閉体が前記枠体に対して閉じられた状態で、前記固定ヒンジ部と前記可動ヒンジ部との間の隙間を介して外部からの異物が侵入されるのを防ぐための不正防止部材を前記枠体に設け、
前記回動支持機構の後端部から遊技球の直径よりも大きな距離をおいて前記不正防止部材を離間配置することで外部に通じ、且つ遊技球が通過可能な大きさであって上下に貫通状の隙間からなる空間部を設け、前記開閉体が前記枠体に対して閉じられる際、前記固定ヒンジ部上の遊技球が前記開閉体と枠体との間に挟み込まれないように、該遊技球を外部に逃がすための球逃がし部を前記空間部により構成したことを特徴とする遊技機。
【発明の詳細な説明】
【技術分野】
【０００１】
本発明は、枠体と、遊技部品が搭載された開閉体と、枠体に開閉体を回動自在に支持する回動支持機構を備えた遊技機に関するものである。
【背景技術】
【０００２】
従来から、パチンコ遊技機は、主要な機枠として、外枠、開閉枠、開閉扉を備え、外枠が遊技ホールの島構造体に取付けられ、開閉枠が外枠の前側を開閉可能に外枠の水平方向一端部（左端部）に鉛直軸心回りに回動自在にヒンジ結合され、開閉扉が開閉枠の前側を開閉可能に開閉枠の水平方向一端部（左端部）に鉛直軸心回りに回動自在にヒンジ結合され、開閉枠に前側を向く遊技領域を形成する遊技盤が装着されている。
【０００３】
外枠の下端部分の前面部には、左右方向に長い幕板が取付けられている。幕板の前面には、例えば、社名、ロゴや意匠的な装飾模様等が施されている。この幕板の上方に開閉枠が配置されている。
【０００４】
ところで、従来から、外枠に対して開閉枠が閉じられた閉状態で、且つ開閉枠に対して開閉扉が閉じられた閉状態のとき、外枠の幕板の上部と開閉枠の下端部との間に隙間がある場合、パチンコ遊技機の前側から不正目的の針金やピアノ線等の挿入部材がその隙間を介して挿入され、その挿入部材の先端部分を外枠の裏側から遊技機内部に侵入させてパチンコ遊技機を操作して賞球を獲得する等の不正行為が行われていた。このため、この種の不正行為を防止する為の不正防止部材を設けた遊技機が種々提案され実用に供されている。
【０００５】
特許文献１のパチンコ機においては、外枠の幕板の上部に固定された金属製の上面カバーの後端に、後端から上方へ所定高さ直角に立ち上げる縦壁からなる不正防止部材が設けられている。外枠に対して前枠（開閉枠及び開閉扉）を閉じた状態で、幕板の上部と前枠の下端部との間の隙間から不正目的の挿入部材が挿入された場合、不正防止部材の縦壁により、挿入部材のパチンコ機内部への侵入が阻止される。
【０００６】
特許文献２のパチンコ遊技機においては、外枠の下横枠部材に不正防止部材が取付けられている。この不正防止部材は、下横枠部材の上面の後端部分に設けられた金属平板状の本体部と、本体部から後方へ水平に延在する延在部と、延在部の後端から上方へ所定高さ直角に立ち上げる立壁部とを有する。
【先行技術文献】
【特許文献】
【０００７】
【特許文献１】特開２００３−３４００７９号公報
【特許文献２】特開２０１０−１３６９３７号公報
【発明の概要】
【発明が解決しようとする課題】
【０００８】
特許文献１においては、幕板の左端部分の上部に固定された下部蝶番の後側に不正防止部材が設けられていないので、外枠に対して前枠が閉じられた状態で、支軸を介してヒンジ結合された前枠の下部可動蝶番と外枠の下部固定蝶番との間の隙間から挿入部材が挿入されて不正行為が行われる虞がある。
【０００９】
特許文献２においては、外枠の下横枠部材の左端部分に固定された下部固定ヒンジ部の後側に不正防止部材の立壁部が設けられているので、挿入部材による不正行為をある程度防止することができる。
【００１０】
ところで、特許文献２においては、前面枠が外枠に対して略直角状に開放した状態のとき、前面枠に装着された遊技盤の遊技球が、前面枠と外枠の左端部の間の隙間から外枠の下部固定ヒンジ部に落ち込むことがある。下部固定ヒンジ部上の遊技球は、不正防止部材の縦壁部により移動不能に規制されるため、固定ヒンジ部と立壁部との間の延在部に停留する。そのため、前面枠が外枠に対して閉じられる際、前面枠と外枠との間に遊技球が噛み込まれるため、前面枠を閉じることができないという問題が生じる。
【００１１】
本発明の目的は、開閉体の一端下部の可動ヒンジ部が連結される枠体の一端下部の固定ヒンジ部上に遊技球が落下した場合に、その遊技球を固定ヒンジ部から外部へ逃がすことができる遊技機を提供することである。
【課題を解決するための手段】
【００１２】
本願発明は以下の構成を有するものである。尚、参照符号は、本願発明の理解促進の為に図面に図示した構成要素との対応関係の一例を示したものであり、本願発明の技術的範囲を限定するものではない。
第１発明（遊技機）は、枠体(2)と、遊技部品(13)が搭載された開閉体(3)と、前記枠体(2)に前記開閉体(3)を回動自在に支持する回動支持機構(11,41,42)とを備えた遊技機において、前記回動支持機構(41)は、前記枠体(2)の一端下部に設けられた固定ヒンジ部(46)と、前記開閉体(3)の一端下部において前記固定ヒンジ部(46)と対向するように設けられ、支軸(47a)を介して前記固定ヒンジ部(46)に回動自在に支持された可動ヒンジ部(47)とを有し、前記開閉体(3)が前記枠体(2)に対して閉じられた状態で、前記固定ヒンジ部(46)と前記可動ヒンジ部(47)との間の隙間(S)を介して外部からの異物が侵入されるのを防ぐための不正防止部材(10)を前記枠体(2)に設け、前記回動支持機構(41)の後端部から遊技球(P)の直径よりも大きな距離をおいて前記不正防止部材(10)を離間配置することで外部に通じ、且つ遊技球が通過可能な大きさであって上下に貫通状の隙間からなる空間部(54)を設け、前記開閉体(3)が前記枠体(2)に対して閉じられる際、前記固定ヒンジ部(46)上の遊技球が前記開閉体(3)と枠体(2)との間に挟み込まれないように、該遊技球(P)を外部に逃がすための球逃がし部(54)を前記空間部(54)により構成したことを特徴としている。
【発明の効果】
【００１４】
本願の発明によれば、遊技球が開閉枠と枠体との間に噛み込まれるのを防止して、開閉体を枠体に対してスムーズに閉じることができる。
【図面の簡単な説明】
【００１５】
【図１】パチンコ遊技機の正面図である。
【図２】パチンコ遊技機の分解斜視図である。
【図３】外枠に対して開閉枠を開いた状態を示す斜視図である。
【図４】外枠の要部拡大斜視図である。
【図５】開閉枠の要部拡大斜視図である。
【図６】第１不正防止立壁の拡大断面図である。
【図７】第２不正防止立壁と球逃がし部の拡大断面図である。
【発明を実施するための形態】
【００１６】
以下、本発明を実施するための形態について実施例に基づいて説明する。
【実施例】
【００１７】
図１〜図３に示すように、パチンコ遊技機１は、主要機枠として、外枠２（枠体に相当する）、開閉枠３（開閉体に相当する）、開閉扉４を備えている。以下の説明では、パチンコ遊技機１を前側から視た前後左右を前後左右として説明する。外枠２は、遊技ホールの島構造体に取付けられ、金属板からなる左右の縦フレーム２ａ，２ｂと、金属板と木板とを重ね合わせた上下の横フレーム２ｃ，２ｄを有し、これらのフレーム２ａ〜２ｄの角部を固定金具５ａ〜５ｄを介して組み付けた縦長矩形枠状に形成されている。
【００１８】
外枠２の下端部分の前面部には、水平方向に長い幕板７が取付けられている。幕板７の前面には、例えば、社名、ロゴや意匠的な装飾模様等が施されている。幕板７の上部には、金属平板状のカバー板８が固定されている。このカバー板８は、幕板７の長手方向（左右方向）に沿って延びる平面視細長の矩形状に形成され、幕板７の上方に配置された開閉枠３が外枠２内に閉じられるときに、開閉枠３の下端部が円滑に摺動するようにガイドすると共に、幕板７の上部を保護するものである。外枠２には、不正目的の針金やピアノ線等の挿入部材（異物に相当する）のパチンコ遊技機１の内部への侵入を防止する第１不正防止立壁９と、第２不正防止立壁１０（不正防止部材に相当する）が設けられている。第１，第２不正防止立壁９，１０については後で詳細に説明する。
【００１９】
開閉枠３は、合成樹脂製の左右の縦フレーム３ａ，３ｂと上下の横フレーム３ｃ，３ｄとを有し、外枠２の幕板７の上方に配置され、外枠２の前側を開閉可能に外枠２の左端側に回動支持機構１１を介して鉛直軸心回りに回動自在に支持されている。開閉枠３のフレーム３ａ〜３ｃの内壁部３ｅ〜３ｇは、フレーム３ａ〜３ｃの外壁部よりも後方へ突出しており、外枠２に対して開閉枠３を閉じた状態で、これら内壁部３ｅ〜３ｇが外枠２のフレーム２ａ〜２ｃの内側に位置する。
【００２０】
開閉枠３には、鉛直な盤面を形成する遊技盤１３が装着されている。遊技盤１３には、ガイドレール１４が略環状に設けられ、このガイドレール１４の内側に遊技領域１３ａが形成されている。遊技領域１３ａには、多数の障害釘１５、始動入賞口１６、大入賞口１７、可動役物１８、画像表示器１９等が所定の位置に配置されている。
【００２１】
遊技盤１３の裏側には裏機構板１３ｂが設けられ、この裏機構板１３ｂには、パチンコ遊技機１の制御を統括的に行う遊技制御基板ユニット、画像表示器１９やランプ等の制御を行う演出制御基板ユニット、電源基板ユニットが、夫々、所定位置に取り付けられている。これら制御基板ユニットをカバーするカバーケース２１，２２には、内部で発生する熱を逃がすための複数の小径の放熱孔２１ａ，２２ａが形成されている。
【００２２】
開閉枠３の下部（遊技盤１３の下側）の前面部の中央部分には、遊技球を遊技領域１３ａに発射する発射機構２３が設けられている。発射機構２３には、遊技球を発射位置に保持する為の発射レール２３ａ、発射位置の遊技球を打撃する発射槌（図示略）、発射された遊技球をガイドレール１４へガイドする発射通路２３ｂなどが設けられている。
【００２３】
開閉枠３の上端の横フレーム３ｃの内壁部３ｆの裏側には、外部の遊技球補給機構（図示略）から遊技球が供給される球補給タンク２４と、球補給タンク２４から延びるタンクレール２５が設けられている。開閉枠３の左端部の縦フレーム３ａの内壁部３ｅの裏側には払出ユニット２６が設けられ、この払出ユニット２６の上端部がタンクレール２５に接続され、払出ユニット２６の下端部が払出通路２７に接続されている。払出通路２７は、開閉扉４の下部に形成された出口２７ａに連通している。払出ユニット２６は、例えば、ステッピングモータ等の駆動部が駆動することにより、賞球又は球貸し球としての遊技球を１個ずつ遊技者に払い出すように構成されている。
【００２４】
開閉扉４は、合成樹脂製の左右の縦フレーム４ａ，４ｂと上下の横フレーム４ｃ，４ｄとを有し、遊技盤１３の盤面の前側をカバーする透明なガラス板２９を備え、開閉枠３の前側を開閉可能に開閉枠３の左端部にヒンジ機構３０を介して鉛直軸心回りに回動自在にヒンジ結合されている。開閉扉４の上部には、左右１対のランプ取付孔３８ａ，３８ｂが設けられ、これらランプ取付孔３８ａ，３８ｂに左右１対のランプが前向きに装着され、ランプ取付孔３８ａ，３８ｂの前面は光透過性のカバー３９で覆われている。
【００２５】
開閉扉４の下部（ガラス板２９の下側）には、遊技球を貯留する貯留皿３１を有する合成樹脂製の皿ユニット３２が設けられている。この皿ユニット３２は、上下幅が比較的大きく、前方へ膨出するように形成されている。貯留皿３１は、上皿３１ａと下皿３１ｂを備え、上皿３１ａが皿ユニット３２の左側の上部に一体形成され、下皿３１ｂが皿ユニット３２の左側の下部に一体形成されている。払出ユニット２６から払い出された遊技球は、払出通路２７の出口２７ａから上皿３１ａに導かれて貯留され、上皿３１ａが遊技球で満杯になると下皿３１ｂに導かれて貯留される。
【００２６】
皿ユニット３２には、遊技者が操作可能な演出ボタン３３ａを有する演出ボタン装置３３と、下皿３１ｂに貯留された遊技球を外部へ排出する排出装置（図示略）と、十字状の凸部を有する十字ボタン３４と、球貸しボタン３５と、球抜きボタン３６とが装備されている。
【００２７】
演出ボタン装置３３は、皿ユニット３２の中央部分のボタン取付孔に組み込まれ、演出ボタン３３ａを遊技者が押下操作可能に配設されている。演出ボタン３３ａによる操作は、例えば、画像表示器１９による大当り抽選を演出する遊技演出の実行中において、その表示画面に演出ボタン３３ａの操作を促すメッセージが表示されてから所定時間有効である。
【００２８】
皿ユニット３２の右側の下部に発射ハンドル３７が配置され、この発射ハンドル３７が回動操作されると、上皿３１ａから球送り機構（図示略）により発射位置に導入された遊技球が発射機構２３により発射される。上皿３１ａに複数の遊技球が貯留されている場合には、複数の遊技球が約０．６秒間隔で連続的に発射される。発射された遊技球はガイドレール１４により案内され遊技領域１３ａの上部に導入される。
【００２９】
開閉扉４の右端下部には、外枠２に対して閉状態（ロック状態）の開閉枠３のロック状態を解除し、また、開閉枠３に対して閉状態（ロック状態）の開閉扉４の閉状態（ロック状態）を解除する為にキー操作されるキーシンダ３８が設けられている。このキーシンダ３８は、開閉扉４の下部裏面部に設けられた施錠機構（図示略）に連動連結している。
【００３０】
次に、外枠２に開閉枠３を回動自在に支持する回動支持機構１１について説明する。
図３〜図５に示すように、外枠２と開閉枠３の回動支持機構１１は、上部回動支持機構４０と下部回動支持機構４１とから構成されている。上部回動支持機構４０は、外枠２の左端部の上端部に取付けられた前記固定金具５ａからなる上部固定ヒンジ部４３と、開閉枠３の左端部の縦フレーム３ａの上端部に固着される金属板からなる上部可動ヒンジ部４４とを備えている。
【００３１】
上部固定ヒンジ部４３には、外枠２の上端の横フレーム２ｃの左端部から前方へ水平に突出する突出片４５が設けられている。この突出片４５の先端部分に外側へ向かって開口する切欠き溝４５ａと連通する軸受孔４５ｂが形成されている。上部可動ヒンジ部４４は
略三角形状に形成され、先端下面に前記軸受孔４５ｂに嵌合するヒンジ軸４４ａが下方突出状に設けられている。
【００３２】
下部回動支持機構４１は、外枠２の幕板７の左端部分に設けられた金属板からなる下部固定ヒンジ部４６と、開閉枠３の左端部の下端部に固着され下部固定ヒンジ部４６に上側から対向するように設けられた金属板からなる下部可動ヒンジ部４７とを備えている。
【００３３】
下部固定ヒンジ部４６は、幕板７の左端部分の上面部を切欠いた段部に配設され、下部固定ヒンジ部４６の後端から下方に屈曲した取付板４６ｄが幕板７の裏面部にビスで固定されている（図７参照）。下部固定ヒンジ部４６には、先端部に環状に上方に膨出する膨出部に上下に貫通状の軸孔４６ａが形成されている。下部固定ヒンジ部４６の上面部の軸孔４６ａの近傍部位には円弧状の凸部４６ｂが設けられている。この凸部４６ｂは、開閉枠３の開閉時に下部固定ヒンジ部４６に対して下部可動ヒンジ部４７が摺動する際の摺動抵抗を小さくするためのものである。下部可動ヒンジ部４７は略三角形状に形成され、その先端部には、ヒンジ軸４７ａ（支軸）が下方突出状に設けられている。
【００３４】
開閉枠３を外枠２に対して取付ける際には、開閉枠３を外枠２に対して略直角状に開放した状態に位置させて、最初に、開閉枠３の下部可動ヒンジ部４７のヒンジ軸４７ａを、外枠２の下部固定ヒンジ部４６の軸孔４６ａに上方から嵌合させて連結する。次に、開閉枠３の上部可動ヒンジ部４４を外枠２の上部固定ヒンジ部４３に接近させ、上部可動ヒンジ部４４のヒンジ軸４４ａを上部固定ヒンジ部４３の突出片４５の切欠き溝４５ａに臨ませて開閉枠３を外枠２に押し付ける。これにより、切欠き溝４５ａの両側部分の弾性変形を介して上部可動ヒンジ部４４のヒンジ軸４４ａが上部固定ヒンジ部４３の軸受孔４５ｂに嵌合され、開閉枠３が上部及び下部回動支持機構４０，４１を支点にして外枠２に開閉自在に枢着される。
【００３５】
次に、開閉枠３に開閉扉４を回動自在に支持するヒンジ機構３０について説明する。
図２、図５に示すように、開閉枠３と開閉扉４のヒンジ機構３０は、上部ヒンジ機構５０と下部ヒンジ機構５１とから構成されている。上部ヒンジ機構５０は、開閉枠３の上部可動ヒンジ部４４のヒンジ軸４４ａに下端開放状に形成された係合凹部（図示略）と、開閉扉４の左端部の上端部に上方突出状に形成された上ヒンジピン５２とを備えている。上ヒンジピン５２は、開閉扉４の左端部に設けられた付勢手段（図示略）により上方へ付勢されている。
【００３６】
下部ヒンジ機構５１は、開閉枠３の下部可動ヒンジ部４７の先端部に環状に上方に膨出する膨出部に凹設された係合凹部４７ｂと、開閉扉４の左端部の下端部に下方突出状に設けられ前記係合凹４７ｂに嵌合する下ヒンジピン５３とを備えている。
【００３７】
外枠２に開閉枠３を組み付けた状態で、開閉扉４を開閉枠３に取付ける際には、開閉扉４を開閉枠３に対して略直角に開放した状態に位置させて、最初に、開閉扉４の下ヒンジピン５３を開閉枠３の下部可動ヒンジ部４７の係合凹部４７ｂに上方から嵌合させて連結する。次に、開閉扉４の上ヒンジピン５２を開閉枠３の上部可動ヒンジ部４４のヒンジ軸４４ａの係合凹部に下方から嵌合させて連結する。これにより、開閉扉４が上部及び下部ヒンジ機構５０，５１を支点に開閉枠３に対して開閉自在に枢着される。
【００３８】
次に、第１，第２不正防止立壁９，１０について説明する。
図４、図６に示すように、第１不正防止立壁９は、開閉枠３が外枠２に対して閉じられた状態で、且つ開閉扉４が開閉枠３に対して閉じられた状態で、外枠２の幕板７の上部と開閉枠３の下端部との間の隙間から挿入される不正目的の挿入部材のパチンコ遊技機１内部への侵入を防止するものである。
【００３９】
第１不正防止立壁９は、幕板７の上部に固定されたカバー板８の後端から上方へ所定高さ直角に立ち上がっている。第１不正防止立壁９は、カバー板８の長手方向（左右方向）に沿って延びるように形成され、外枠２に対して閉じられた閉位置の開閉枠３の裏面に対して僅かな間隔をおいて対向するように設けられている。第１不正防止立壁９には、その上端縁から直角に前方へ張り出すように形成された折曲部５７が一体形成されている。
【００４０】
図４、図７に示すように、第２不正防止立壁１０は、開閉枠３が外枠２に対して閉じられた状態で、且つ開閉扉４が開閉枠３に対して閉じられた状態で、下部回動支持機構４１の下部固定ヒンジ部４６と下部可動ヒンジ部４７との間の隙間Ｓ（図１参照）から挿入される不正目的の挿入部材のパチンコ遊技機１内部への侵入を防止するものである。
【００４１】
第２不正防止立壁１０は厚手の金属板からなり、下部固定ヒンジ部４６の後端の左右幅と同一の幅で且つ下部固定ヒンジ部４６よりも上方に少し延びるように横長矩形状に形成され、下部固定ヒンジ部４６の後端部から後方へ遊技球の直径よりも大きな距離をおいて壁面を前方へ向けて離間配置されている。第２不正防止立壁１０には、左端部から直角に後方に屈曲したフランジ部６０が形成され、このフランジ部６０が外枠２の左端部の縦フレーム２ａにビスで固定されている。第２不正防止立壁１０には、その上端縁から前方へ直角に折曲された折曲部５９が一体形成されている。
【００４２】
次に、本願特有の球逃がし部５４について説明する。
図３、図４、図７に示すように、球逃がし部５４は、下部固定ヒンジ部４６と第２不正防止立壁１０との間に設けられ、開閉枠３が外枠３に対して閉じられる際、下部固定ヒンジ部４６上の遊技球Ｐが開閉枠３と外枠２との間に噛み込まれないように遊技球Ｐを下部固定ヒンジ４６から外部へ逃がす為に設けられている。
【００４３】
球逃がし部５４は、遊技球Ｐが挿通(通過)可能な大きさの上下に貫通状の隙間（空間部に相当する）からなり、下部固定ヒンジ部４６の支持板４６ｄと、第２不正防止立壁１０と、第２不正防止立壁１０の右端から直角に前方へ所定長さ延びて先端が幕板７の裏面に当接する仕切板部６１と、外枠２の左端部の縦フレーム２ａとから平面視にて横長矩形枠状に形成されている。
【００４４】
下部固定ヒンジ部４６の上面部の後端部分には、遊技球Ｐを下部固定ヒンジ部４６から球逃がし部５４へ誘導する左右１対の球誘導溝４６ｃが形成されている。この球誘導溝４６ｃは、側面視にて三角形状であり、後方程下方へ移行する傾斜状に形成されている。尚、球誘導溝４６ｃを形成したことで、下部固定ヒンジ部４６の剛性が増している。
【００４５】
以上説明したパチンコ遊技機１の作用効果について説明する。
例えば、球補給タンク２４の球詰まり等の不具合が生じた場合、ホール係員は外枠２に対して開閉枠３を手前に開けて対処する。開閉枠３が外枠２に対して略直角状に開放した状態のとき、開閉枠３に装着された遊技盤１３の遊技球が、開閉枠２と外枠２の左端部の間の隙間から外枠２の下部固定ヒンジ部４６に遊技球が落ち込むことがある。
【００４６】
下部固定ヒンジ部４６に落ち込んだ遊技球は、球誘導溝４６ｃから球逃がし部５４へ転動するので、遊技球を下部固定ヒンジ部４６から外部へ逃がすことができ、開閉枠３が外枠２に対して閉じられる際に遊技球が開閉枠３と外枠２との間に噛み込まれることがなくなるから、開閉枠３を外枠２に対してスムーズに閉じることができる。
【００４７】
外枠２の固定ヒンジ部４６の後端部から後方へ遊技球の直径よりも大きな距離をおいて離間配置された第２不正防止立壁１０を外枠２の後側に設けたので、外枠２に対して開閉枠３が閉じられ、且つ開閉枠３に対して開閉扉４が閉じられた状態で、下部固定ヒンジ部４６と下部可動ヒンジ部４７の間の隙間から不正目的の針金やピアノ線等の挿入部材が挿入されたとしても、第２不正防止立壁１０により、挿入部材のパチンコ遊技機１の内部への侵入を阻止することができる。
【００４８】
第２不正防止立壁１０の上端縁には、前方へ折曲された折曲部５９が形成されているので、下部固定ヒンジ部４６と下部可動ヒンジ部４７の間の隙間に不正目的の挿入部材が挿入されたとしても、挿入部材の先端部分が第２不正防止立壁１０を乗り越えて上方へ侵入するのを阻止することができる。
【００４９】
本発明は、実施例で示したパチンコ遊技機に限られるものではなく、枠体と、枠体に回動可能に枢着された開閉体とを備えた遊技機に適用可能である。その他、当業者であれば、本発明の趣旨を逸脱することなく、前記実施例に種々の変更を付加した形態が実施可能であり、本発明はそのような変更形態を包含するものである。
【符号の説明】
【００５０】
Ｐ      遊技球
Ｓ      隙間
１      パチンコ遊技機
２      外枠
３      開閉枠
１０    第２不正防止立壁
３３    演出ボタン装置
３７    発射ハンドル
１１    回動支持機構
４０    上部回動支持機構
４１    下部回動支持機構
４６    下部固定ヒンジ部
４７    下部可動ヒンジ部
４７ａ  支軸
５４    球逃がし部  
５９    折曲部
【図１】
0005374573.tif 000002
【図２】
0005374573.tif 000003
【図３】
0005374573.tif 000004
【図４】
0005374573.tif 000005
【図５】
0005374573.tif 000006
【図６】
0005374573.tif 000007
【図７】
0005374573.tif 000008